(57)【要約】      （修正有）【課題】配線基板と引出線との接続部位や引出線が、ディスク駆動装置の他の部品と干渉することを防止する。【解決手段】ディスク駆動装置用のモータユニットは、モータ部１２と、ディスク駆動装置１のハウジング１６の一部を構成するハウジング部材と、ハウジング部材の上面上にて、モータ部から離れて配置された外部接続用の貫通孔６４に向かってモータ部から延びる配線基板１４と、を備え、モータ部が、上下方向を向く中心軸を中心とする環状のロータマグネットを含む回転部と、ロータマグネットの内側にてモータ部のベース部に固定されたステータと、を備え、配線基板が、モータ部の外部からステータとベース部との間の隙間を介してステータの内側まで延びており、配線基板の接続部１５がステータの内側に位置し、ステータの複数の引出線が接続部に接続される。【選択図】図１
2012104169.tif 000002
【特許請求の範囲】
【請求項１】
モータ部と、
ディスク駆動装置のハウジングの一部を構成するハウジング部材と、
前記ハウジング部材の上面上にて、前記モータ部から離れて配置された外部接続用の貫通孔に向かって前記モータ部から延びる配線基板と、
を備え、
前記モータ部が、
上下方向を向く中心軸を中心とする環状のロータマグネットを含む回転部と、
前記ロータマグネットの内側にて前記ベース部に固定されたステータと、
を備え、
前記配線基板が、前記モータ部の外部から前記ステータと前記モータ部のベース部との間の隙間を介して前記ステータの内側まで延びており、前記配線基板の接続部が前記ステータの内側に位置し、前記ステータの複数の引出線が前記接続部に接続される、ディスク駆動装置用のモータユニット。
【請求項２】
前記接続部が、前記ステータの内側において前記ベース部の上面に貼付される、請求項１に記載のディスク駆動装置用のモータユニット。
【請求項３】
前記ハウジング部材の上面が、前記ハウジング部材上に取り付けられる予定のアクセス部のアームの移動範囲と重なる凹部を有し、
前記配線基板が、前記凹部の底面上を横断する、請求項１または２に記載のディスク駆動装置用のモータユニット。
【請求項４】
前記アクセス部のヘッドが前記モータ部に最も近づく位置から前記配線基板が引き出される、請求項３に記載のディスク駆動装置用のモータユニット。
【請求項５】
モータ部と、
ディスク駆動装置のハウジングの一部を構成するハウジング部材と、
前記ハウジング部材の上面のうち、前記モータ部と重なる領域、または、前記モータ部に取り付けられる予定のディスクと重なる領域にて前記ステータの複数の引出線を固定する固定部材と、
を備える、ディスク駆動装置用のモータユニット。
【請求項６】
前記固定部材が、前記ハウジング部材の前記上面に対向して前記複数の引出線が通される複数の溝を有する樹脂部材である、請求項５に記載のディスク駆動装置用のモータユニット。
【請求項７】
前記ハウジング部材の前記上面が、前記ハウジング部材上に取り付けられる予定のアクセス部のアームの移動範囲と重なる凹部を有し、
前記固定部材が前記凹部の底面上に位置する、請求項５または６に記載のディスク駆動装置用のモータユニット。
【請求項８】
前記アクセス部のヘッドが前記モータ部に最も近づく位置から前記複数の引出線が引き出される、請求項７に記載のディスク駆動装置用のモータユニット。
【請求項９】
前記ハウジング部材が有する貫通孔が、１つのみである、請求項１ないし８のいずれかに記載のディスク駆動装置用のモータユニット。
【請求項１０】
請求項１ないし９のいずれかに記載のモータユニットと、
前記モータユニットの前記モータ部に取り付けられるディスクと、
前記ディスクに対して情報の読み出しおよび／または書き込みを行うアクセス部と、
前記ディスク、前記モータユニットおよび前記アクセス部を収容するハウジングを、前記モータユニットの前記ハウジング部材と共に構成する他のハウジング部材と、
を備える、ディスク駆動装置。
【請求項１１】
前記ハウジング内に充填される気体が、ヘリウム、水素、もしくは、ヘリウムと水素との混合気体、または、これらのいずれかと空気との混合気体である、請求項１０に記載のディスク駆動装置。
【発明の詳細な説明】
【技術分野】
【０００１】
本発明は、ディスク駆動装置用のモータユニットに関する。
【背景技術】
【０００２】
従来より、ハードディスク駆動装置等のディスク駆動装置では、ディスクを回転するスピンドルモータ（以下、単に「モータ」という）が搭載される。特開平７−３３４９６７号公報に開示されるディスク駆動装置では、モータのブラケットがディスク駆動装置のベースにねじ止め等により固定される。ベースの内底面には、ブラケットの鍔部からディスク駆動装置の側部に設けられたコネクタまで延びる案内溝が形成される。案内溝には、モータのステータのコイル線と、コネクタとを接続するＦＰＣ（フレキシブルプリント基板）が貼り付けられる。
【０００３】
なお、特開２００６−４０４２３号公報には、ディスク装置の内部にヘリウムや水素等の低密度ガスが充填された構成が開示され、これにより、ディスクやヘッドの振動が抑えられ、高精度にデータを記録することができる。
【特許文献１】特開平７−３３４９６７号公報
【特許文献２】特開２００６−４０４２３号公報
【発明の概要】
【発明が解決しようとする課題】
【０００４】
ところで、特開２００６−４０４２３号公報に示されるように、ディスク装置の内部に、空気に比べて拡散し易いヘリウム等の気体が充填される場合、ディスク装置のベースの密閉性を十分に確保する必要がある。
【０００５】
特開平７−３３４９６７号公報のディスク装置において、ＦＰＣとコイル線である引出線とがモータ近傍にて接続される場合、ＦＰＣと引出線との接続部分が、モータの回転部に接触することを防止する必要がある。また、ＦＰＣと引出線との半田による接続部位をステータの真下に位置させようとすると、この接続部位をステータから下方に離間させる必要が生じ、ハウジングの肉厚が薄くなってしまう。
【０００６】
一方、ＦＰＣと引出線とがモータから離れた位置にて接続される場合、引出線がディスク、ヘッドまたはモータの回転部の下側に配置されるため、引出線とこれらの部材との接触を防止する必要がある。引出線がコネクタに直接接続される場合も同様である。
【０００７】
本発明は、配線基板と引出線との接続部位や引出線が、ディスク駆動装置の他の部品と干渉することを防止することを目的としている。
【課題を解決するための手段】
【０００８】
本発明の第１の側面に係るディスク駆動装置用のモータユニットは、モータ部と、ディスク駆動装置のハウジングの一部を構成するハウジング部材と、前記ハウジング部材の上面上にて、前記モータ部から離れて配置された外部接続用の貫通孔に向かって前記モータ部から延びる配線基板と、を備え、前記モータ部が、上下方向を向く中心軸を中心とする環状のロータマグネットを含む回転部と、前記ロータマグネットの内側にて前記モータ部のベース部に固定されたステータと、を備え、前記配線基板が、前記モータ部の外部から前記ステータと前記ベース部との間の隙間を介して前記ステータの内側まで延びており、前記配線基板の接続部が前記ステータの内側に位置し、前記ステータの複数の引出線が前記接続部に接続される。
【０００９】
本発明の第２の側面に係るディスク駆動装置用のモータユニットは、モータ部と、ディスク駆動装置のハウジングの一部を構成するハウジング部材と、前記ハウジング部材の上面のうち、前記モータ部と重なる領域、または、前記モータ部に取り付けられる予定のディスクと重なる領域にて前記ステータの複数の引出線を固定する固定部材と、を備える。
【発明の効果】
【００１０】
本発明によれば、配線基板と引出線との接続部位や引出線が、ディスク駆動装置の他の部品と干渉することを防止することができる。
【図面の簡単な説明】
【００１１】
【図１】図１は、第１の実施形態に係るディスク駆動装置を示す図である。
【図２】図２は、モータユニットの平面図である。
【図３】図３は、モータユニットの断面図である。
【図４】図４は、軸受機構を拡大して示す図である。
【図５】図５は、ベースプレートのホルダの平面図である。
【図６】図６は、モータユニットの断面図である。
【図７】図７は、ステータ、ホルダおよび配線基板を示す図である。
【図８】図８は、第２の実施形態に係るモータユニットの平面図である。
【図９】図９は、固定部材の正面図である。
【発明を実施するための形態】
【００１２】
本明細書では、モータ部の中心軸方向における図１の上側を単に「上側」と呼び、下側を単に「下側」と呼ぶ。なお、上下方向は、実際の機器に組み込まれたときの位置関係や方向を示すものではない。また、中心軸に平行または略平行な方向を「軸方向」と呼び、中心軸を中心とする径方向を単に「径方向」と呼び、中心軸を中心とする周方向を単に「周方向」と呼ぶ。
【００１３】
（第１の実施形態）
図１は、本発明の例示的な第１の実施形態に係るスピンドルモータ（以下、単に「モータ」という）を含むディスク駆動装置１の断面図である。ディスク駆動装置１は、いわゆるハードディスク駆動装置である。ディスク駆動装置１は、例えば、情報を記録する３枚の円板状のディスク１１と、モータ部１２と、アクセス部１３と、配線基板１４と、コネクタ１５と、ハウジング１６と、を含む。ディスク１１は、モータ部１２に取り付けられる。アクセス部１３は、ディスク１１に対して、情報の読み出しおよび／または書き込みを行う。なお、ディスク１１の数は３以外でもよい。
【００１４】
ハウジング１６は、無蓋箱状の第１ハウジング部材１６１と、板状の第２ハウジング部材１６２と、を含む。ハウジング１６には、ディスク１１、モータ部１２、アクセス部１３、配線基板１４およびコネクタ１５が収容される。ディスク駆動装置１では、第１ハウジング部材１６１に第２ハウジング部材１６２が例えば溶接等の手段で接合されて、ハウジング１６が構成される。ハウジング１６の内部空間１６３は密閉され、塵や埃が極度に少ない。また、ハウジング１６内には、好ましくはヘリウムが充填される。以下の説明では、モータ部１２、第１ハウジング部材１６１および配線基板１４をまとめて「モータユニット１２０」と呼ぶ。
【００１５】
３枚のディスク１１は、スペーサ１７２により、軸方向に等間隔に並び、クランパ１７１によりモータ部１２にクランプされる。アクセス部１３は、６つのヘッド１３１と、ヘッド１３１を支持する６つのアーム１３２と、ヘッド移動機構１３３とを含む。ヘッド１３１はディスク１１に近接して、情報の読み出しおよび／または書き込みを磁気的に行う。ヘッド移動機構１３３はアーム１３２を移動することにより、ヘッド１３１をディスク１１に対して相対的に移動させる。これらの構成により、ヘッド１３１は、回転するディスク１１に近接した状態にて、ディスク１１の所要の位置にアクセスし、情報の読み出しおよび／または書き込みを行う。
【００１６】
図２は、モータユニット１２０の平面図である。図２では、モータ部１２、および、モータ部１２に取り付けられる予定のディスク１１、並びに、第１ハウジング部材１６１に取り付けられる予定のアクセス部１３およびコネクタ１５を二点鎖線にて示している。また、配線基板１４のモータ部１２と重なる部位の図示を省略している。
【００１７】
第１ハウジング部材１６１の底部の上面６１、すなわち、内部空間１６３側の面には、モータ部１２が取り付けられるベース部２１、ディスク収容凹部６２、アクセス部取付凹部６３および貫通孔６４が配置される。以下の説明では、ベース部２１をモータ部１２の一部とみなして説明する。ディスク収容凹部６２は、中心軸Ｊ１を中心とする略Ｃ字状の部位を含み、ディスク１１の多くの部分が収容される。
【００１８】
アクセス部収容凹部６３には、アクセス部１３が取り付けられる。アクセス部１３のアーム１３２の移動範囲は、アクセス部収容凹部６３と重なる。アクセス部収容凹部６３の底面６３１は、好ましくはディスク収容凹部６２よりも下方に位置する。ディスク１１の一部は、好ましくはアクセス部収容凹部６３の上方に位置する。ディスク駆動装置１では、アクセス部収容凹部６３が配置されることにより、モータ部１２の駆動時に、ヘッド１３１が第１ハウジング部材１６１の上面６１に接触することが防止される。
【００１９】
上面６１では、モータ部１２から離れた位置にアクセス部収容凹部６３よりも僅かに窪む部位が配置され、当該部位に貫通孔６４が配置される。図１および図２に示すように、貫通孔６４には、接着剤等によりコネクタ１５が取り付けられる。ディスク駆動装置１では、第１ハウジング部材１６１が有する貫通孔の数が１つのみである。貫通孔６４はコネクタ１５により密閉されるため、貫通孔６４からヘリウムが流出することを防止できる。
【００２０】
配線基板１４は、好ましい一例としてフレキシブルプリント基板が挙げられる。図２に示すように、配線基板１４は、第１ハウジング部材１６１の上面６１上に位置する。そして配線基板１４は、モータ部１２からアクセス部収容凹部６３の底面６３１を横断しつつ貫通孔６４に向かって延びる。配線基板１４は、全長に亘って、上面６１の起伏に沿って固定されている。好ましくは配線基板１４は上面６１上に粘着剤を用いて貼付される。配線基板１４では、モータ部１２側の部位が、ヘッド１３１がモータ部１２に最も近づく位置、すなわち、アクセス部収容凹部６３とモータ部１２とが重なる、または、近接する位置から引き出される。これにより、配線基板１４の多くの部分をアクセス部収容凹部６３内に位置させることができる。
【００２１】
図１に示すように、コネクタ１５は、複数のピン１５１を含む。ピン１５１のハウジング１６内に位置する一方の端部は、配線基板１４に接続され、ハウジング１６から下方に突出する他方の端部は、外部電源に接続される。これにより、外部電源から、モータ部１２に電力が供給される。なお、コネクタ１５を介してアクセス部１３等の他の部材への給電や制御も行われる。
【００２２】
図３は、モータユニット１２０の断面図である。モータ部１２は、好ましい一例としてアウタロータ型のモータが挙げられる。モータ部１２は、固定組立体である静止部２と、回転組立体である回転部３と、流体動圧軸受機構４（以下、「軸受機構４」という）と、を含む。軸受機構４は静止部２に取り付けられる。回転部３は、軸受機構４を介してモータ部１２の中心軸Ｊ１周りを静止部２に対して回転可能に支持される。
【００２３】
静止部２は、ベース部２１と、環状のステータ２２と、を含む。ステータ２２は、ベース部２１の円筒状のホルダ２１１の周囲に配置される。ステータ２２は、ステータコア２２１と、ステータコア２２１に巻回されたコイル２２２と、を含む。
【００２４】
回転部３は、ロータハブ３１と、磁性部材３２と、を含む。ロータハブ３１は、ハブ本体３１１と、円筒部３１２と、ディスク載置部３１３と、を含む。円筒部３１２は、ハブ本体３１１の外縁部から下方へと突出する。ディスク載置部３１３は、円筒部３１２の下部から径方向外方に広がる。磁性部材３２は、中心軸Ｊ１を中心とする略環状のロータマグネット３２１と、バックアイアン３２２と、を含む。ロータマグネット３２１は、バックアイアン３２２を介在させつつ円筒部３１２の内側に配置される。モータ部１２では、ロータマグネット３２１と、ロータマグネット３２１の内側に位置するステータ２２との間にてトルクが発生する。
【００２５】
ハブ本体３１１の中央には、軸方向に延びる孔部３１１ａが配置される。以下の説明では、孔部３１１ａを含む中心軸Ｊ１近傍の部位５を「スリーブ部５」という。孔部３１１ａの周囲には、軸方向に延びるとともにスリーブ部５を上下方向に連通する連通孔５１が配置される。スリーブ部５には、下方に突出する下突出部５３が配置される。下突出部５３は、ステータ２２よりも径方向内方に位置する。また、上下方向において、下突出部５３は、ホルダ２１１から離れている。
【００２６】
軸受機構４は、シャフト４１と、第１コーン部４２１と、第２コーン部４２２と、第１カバー部材４３１と、第２カバー部材４３２と、潤滑油４４と、を含む。シャフト４１は、スリーブ部５の孔部３１１ａに配置される。また、シャフト４１は、ホルダ２１１の内側に位置する凹部内に配置されることにより、中心軸Ｊ１に沿って上下方向を向いて静止する。
【００２７】
第１コーン部４２１は、スリーブ部５の下側に配置される。第２コーン部４２２は、スリーブ部５の上側に配置される。第１カバー部材４３１は、スリーブ部５の下部に配置され、第１コーン部４２１の外側面の下部を覆う。モータ部１２では、第１カバー部材４３１、下突出部５３、ステータコア２２１およびホルダ２１１にて囲まれる空間７０が形成される。第２カバー部材４３２は、スリーブ部５の上部に配置され、第２コーン部４２２の外側面の上部および上端を覆う。
【００２８】
図４は、軸受機構４を拡大して示す図である。スリーブ部５の孔部３１１ａでは、内側面５２の下部が、下方に向かうに従って径方向外方に傾斜する。内側面５２の上部は、上方に向かうに従って径方向外方に傾斜する。
【００２９】
スリーブ部５の内側面５２の下部と第１コーン部４２１との間には、下方に向かうに従って径方向外方に傾斜する第１傾斜間隙４５が構成される。スリーブ部５の内側面５２の上部と第２コーン部４２２との間には、上方に向かうに従って径方向外方に傾斜する第２傾斜間隙４６が構成される。潤滑油４４は、シャフト４１とスリーブ部５の中央部との間の間隙４７、第１傾斜間隙４５、連通孔５１および第２傾斜間隙４６に充填される。軸受機構４では、第１カバー部材４３１と第１コーン部４２１との間の間隙４８、および、第２カバー部材４３２と第２コーン部４２２との間の間隙４９に潤滑油４４の界面が位置する。
【００３０】
モータ部１２の駆動時には、第１傾斜間隙４５および第２傾斜間隙４６にて潤滑油４４による流体動圧が発生する。これにより、スリーブ部５がシャフト４１に対して回転可能に支持される。モータ部１２では、スリーブ部５がシャフト４１に支持される部位として、軸受機構４の一部を兼ねている。
【００３１】
図５は、図３に示すベース部２１のホルダ２１１近傍の平面図である。平行斜線にて示すホルダ２１１の上面２１２は、中心軸Ｊ１に垂直な環状の面を含む。また、ホルダ２１１の外側面には、径方向内方に向かって僅かに窪む切欠状の部位２１３が配置される。以下、部位２１３を「切欠部２１３」という。図６は、モータユニット１２０のステータ２２近傍を拡大して示す図である。切欠部２１３とステータコア２２１の内側面２２１ａとの間には、上下方向に延びる隙間７１が構成される。配線基板１４は、隙間７１の両側面に挟まれる。さらに、ステータコア２２１の内側面２２１ａと、スリーブ部５の下突出部５３の外側面５３１との間においても、上下方向に延びる隙間７２が構成される。隙間７２は、空間７０に連続する。
【００３２】
図７は、図６に示すホルダ２１１、ステータ２２および配線基板１４を上方から見た図である。配線基板１４の端部には、略Ｃ字状の接続部１４１が配置される。図６および図７に示すように、配線基板１４は、モータ部１２の外部からステータ２２とホルダ２１１との間の隙間７１を介してステータ２２の内側まで延びる。接続部１４１は、ステータ２２の内側に位置し、ホルダ２１１の上面２１２上に配置される。接続部１４１は、好ましくは、上面２１２に貼付されている。
【００３３】
また、コイル２２２からの複数の引出線２２３は、コイル２２２の上部から図６に示すステータ２２と下突出部５３との間の隙間７２を通って下方に延び、空間７０内にて接続部１４１に半田付けされる。以下、接続部１４１と引出線２２３との接続部位を、「半田部１４１ａ」という。
【００３４】
モータユニット１２０では、ホルダ２１１の上側に空間７０が存在するため、半田部１４１ａが回転部３に接触することを防止される。また、図７に示すように、接続部１４１がステータ２２の内側に配置されることにより、接続部１４１がステータ２２の外側に配置される場合に比べて、隣接する半田部１４１ａの間の距離を短くすることができる。これにより、接続部１４１の大きさを小さくすることができ、配線基板１４の製造コストを低減することができる。
【００３５】
以上、第１の実施形態に係るモータユニット１２０の構造について説明したが、高さが低いモータでは、磁性部材やディスク載置部がベース部に近接する。したがって、仮に、モータユニット１２０のように配線基板を含むモータユニットにおいて配線基板と引出線とを磁性部材やディスク載置部の下側にて接続しようとすると、半田部がこれらの部材に接触してしまう虞がある。しかし、モータユニット１２０では、ステータ２２の内側にてコイル２２２の引出線２２３と配線基板１４とが接続されることにより、高さが低いモータ部１２であっても、半田部１４１ａが回転部３と干渉することを容易に防止することができる。
【００３６】
一方、仮に、モータユニット１２０のように配線基板を含むモータユニットにおいて、ステータの下方にて引出線と接続部とを接続しようとすると、半田部を収容するスペースをステータの下方に設ける必要がある。しかし、モータユニット１２０では、このようなスペースも不要となる。これにより、半田部１４１ａがステータ２２と干渉することが防止される。また、ベース部２１の肉厚を確保することができ、ベース部２１にひけ巣等が発生することを防止することができる。その結果、ハウジング１６の内部空間１６３の密閉性を十分に確保することができ、ディスク駆動装置１の信頼性および耐久性を向上することができる。ベース部２１の肉厚が確保されることにより、ベース部２１の好ましくない振動特性も抑えることができる。以下の他の実施形態においても同様である。
【００３７】
モータユニット１２０では、接続部１４１が、ホルダ２１１の平面状の上面２１２上に配置されるため、引出線２２３と接続部１４１との接続作業を容易に行うことができる。モータユニット１２０では、配線基板１４が、アクセス部収容凹部６３の底面６３１を横断してコネクタ１５に接続されることにより、ディスク収容凹部の底面上を通ってコネクタに接続される場合に比べて、ディスク１１と配線基板１４との間におけるヘリウムの流れの乱れを低減または防止することができる。その結果、ディスク１１を安定して回転することができる。さらに、アクセス部収容凹部６３の底面６３１とディスク１１およびヘッド１３１との間の距離が得るため、配線基板１４とディスク１１およびアクセス部１３との接触を防止することができる。
【００３８】
第１ハウジング部材１６１には、外部接続用の貫通孔６４のみが配置されることから、複数の貫通孔が配置されるハウジング部材に比べて、貫通孔と貫通孔内に配置される部品との間からヘリウムが流出する可能性を低減することができる。以下の他の実施形態においても同様である。
【００３９】
（第２の実施形態）
図８は、第２の実施形態に係るモータユニット１２０ａを示す図である。図８では、ディスク１１、モータ部１２、アクセス部１３およびコネクタ１５を二点鎖線にて示している。引出線２２３のモータ部１２側の端部も適宜図示を省略している。モータユニット１２０ａは、引出線２２３を固定する複数の固定部材１８と、図２の配線基板１４よりも短い配線基板１４ａと、を含む。モータ部１２のベース部２１には、アクセス部収容凹部６３に隣接する第二凹部６５が配置される。モータユニット１２０ａの他の構造は、図２に示すモータユニット１２０と同様である。以下、同様の構成には、同符号を付す。
【００４０】
モータ部１２の引出線２２３は、第二凹部６５およびアクセス部収容凹部６３を通って配線基板１４ａに接続される。引出線２２３は、アクセス部１３のヘッド１３１がモータ部１２に最も近づく位置から引き出されることにより、引出線２２３のほぼ全体をアクセス部収容凹部６３内に位置させることができる。
【００４１】
図９は、固定部材１８の正面図である。固定部材１８は、好ましい一例として樹脂部材であり、互いに平行な複数の溝部１８１を含む。なお、固定部材１８の厚さは、およそ１ｍｍである。図８に示すように、固定部材１８は、第二凹部６５の底面６５１、並びに、アクセス部収容凹部６３の底面６３１のうち、配線基板１４ａの接続部１４１と重なる領域近傍およびディスク１１と重なる領域に配置される。固定部材１８は、好ましくは接着剤等により第１ハウジング部材１６１に固定される。図９の溝部１８１の開口は第１ハウジング部材１６１の上記底面６３１，６５１に対向し、各溝部１８１内に複数の引出線２２３がそれぞれ通される。モータユニット１２０ａでは、複数の固定部材１８により、引出線２２３の両端部および中央部が保持されるため、引出線２２３の浮き上がりを確実に防止することができる。
【００４２】
第２の実施形態のモータユニット１２０ａでは、引出線２２３が、第１ハウジング部材１６１の上面６１のうち、アクセス部収容凹部６３および第二凹部６５の底面６３１，６５１、にて固定部材１８に保持される。アクセス部収容凹部６３および第二凹部６５の底面６３１，６５１は、ディスク１１と重なる領域およびモータ部１２と重なる領域を示す。これにより、引出線２２３が、回転部３、ディスク１１およびアクセス部１３と干渉することを防止することができる。引出線２２３をディスク１１よりも外側に引き出すことにより、配線基板１４ａを短くすることができ、配線基板１４ａの製造コストを抑えることができる。固定部材１８が、アクセス部取付凹部６３および第二凹部６５内に配置されることにより、固定部材１８とディスク１１との接触を防止することができる。アクセス部収容凹部６３の底面６３１とディスク１１およびヘッド１３１との間の距離が得られるため、引出線２２３がディスク１１およびアクセス部１３に干渉することをより防止することができる。なお、固定部材１８は、樹脂部材に限らず、例えば金属部材等でもよい。
【００４３】
以上、本発明の実施形態について説明したが、本発明は、上記実施形態に限定されるものではなく、様々な変更が可能である。
【００４４】
アクセス部収容凹部６３は、アクセス部１３のアーム１３２の移動範囲にのみ配置されてもよい。この場合であっても、ヘッド１３１がモータ部１２に最も近づく位置から配線基板１４や引出線２２３が引き出されることにより、配線基板１４や引出線２２３の多くの部分をアクセス部収容凹部６３内に配置できる。これにより、配線基板１４や引出線２２３とアクセス部１３およびディスク１１との干渉を防止することができる。
【００４５】
上記実施形態では、引出線２２３と接続部１４１とが半田付け以外の手法にて接続されてもよい。引出線２２３の数は、４以外に３以上の他の数でもよい。
【００４６】
第２の実施形態では、引出線２２３がコネクタ１５に直接接続されてもよい。固定部材１８は、３個には限定されない。また、固定部材として粘着性のテープや引出線２２３を束ねる結束部材や接着剤が利用されることにより、引出線２２３が第１ハウジング部材１６１の上面６１に固定されてもよい。
【００４７】
第１の実施形態では、アクセス部収容凹部６３の底面６３１上に、配線基板１４をコネクタ１５に案内する溝が配置されてもよい。同様に、第２の実施形態では、底面６３１上に引出線２２３をコネクタ１５に案内する溝が配置されてもよい。第１の実施形態では、軸方向において、スリーブ部５の下突出部５３よりも下側に位置するステータ２２が配置されてもよい。これにより、引出線２２３をステータ２２の内側により容易に導くことができる。
【００４８】
上記実施形態では、ハウジング１６の一部を構成する第１ハウジング部材１６１は、モータ部１２のベース部２１に連続するが、第１ハウジング部材１６１とベース部２１とは別部材であってもよい。この場合、第１ハウジング部材１６１に配置された穴部にベース部２１が配置される。モータユニット１２０，１２０ａでは、ベース部に固定されたスリーブ部に対してシャフトが回転するモータが利用されてもよい。ハウジング１６内部に充填される気体として、ヘリウム以外に水素が利用されてよい。また、ヘリウムと水素との混合気体が利用されてもよく、ヘリウム、水素、または、上記混合気体のいずれかと空気との混合気体が利用されてもよい。
【００４９】
上記実施形態および各変形例における構成は、相互に矛盾しない限り適宜組み合わせられてよい。
【産業上の利用可能性】
【００５０】
本発明は、ディスク駆動装置用のモータユニットとして利用可能である。
【符号の説明】
【００５１】
１    ディスク駆動装置
３    回転部
１１    ディスク
１２    モータ部
１３    アクセス部
１４    配線基板
１６    ハウジング
１８    固定部材
２１    ベース部
２２    ステータ
６３    アクセス部取付凹部
６４    貫通孔
７１，７２    隙間
１２０，１２０ａ    モータユニット
１３２    アーム
１４１    接続部
１６１    第１ハウジング部材
１６２    第２ハウジング部材
１８１    溝
２２３    引出線
３２１    ロータマグネット
６３１    （アクセス部取付凹部の）上面
Ｊ１    中心軸  
【図１】
2012104169.tif 000003
【図２】
2012104169.tif 000004
【図３】
2012104169.tif 000005
【図４】
2012104169.tif 000006
【図５】
2012104169.tif 000007
【図６】
2012104169.tif 000008
【図７】
2012104169.tif 000009
【図８】
2012104169.tif 000010
【図９】
2012104169.tif 000011